【事件の表示】
　平成５年特許願第５２４０５号「超音波診断装置」拒絶査定不服審判事件〔平成６年９月２０日出願公開、特開平６−２６１９０３〕について、次のとおり審決する。
【結　論】
　本件審判の請求は、成り立たない。
【理　由】
１．手続の経緯・本願発明
　本願は、平成５年３月１２日の出願であって、その請求項１に係る発明は、手続補正書により補正された明細書および図面の記載からみて、特許請求の範囲の請求項１に記載された次のとおりのものと認める。（以下、「本願発明」という。）
「上部消化管に挿入して心臓の超音波像を得るためのマルチプレーンＴＥＥプローブと、装置本体からなる超音波診断装置において、
　前記マルチプレーンＴＥＥプローブは体腔内に挿入され、先端部の向きを変えるために湾曲可能に構成されたアングル部を有する導中部と、
　複数の圧電素子をアレイ状に配列したものであり、前記導中部の先端部に内蔵され、且つ、走査方向を変えるために回転可能に設けられたトランスジューサと、
　前記導中部の先端に内蔵され、前記トランスジューサを回転するモータと、
　前記導中部の先端に内蔵され、前記トランスジューサの回転角度を検出する検出手段とを備え、
　前記装置本体は前記検出手段の出力に基づいて回転角度を画面に表示する手段を備えることを特徴とする超音波診断装置。」
　
２．原査定で引用された刊行物に記載された事項
刊行物１；特開昭５９−２２５３４号公報
「第１図において、Ａは内視鏡本体、Ｂは光源装置、及びＣは超音波診断装置を示す。・・・体腔内挿入部１０は、その側面部に観察窓１１及び照明窓１２を配した所謂側視型内視鏡となるように構成されている。」（２頁右上欄６〜１３行）
「上記超音波振動子アレイ４０は、第１図に示す体腔内挿入部１０の先端に設けられた超音波探触部１３内に配設されている。・・・後述する構成に基づく駆動操作により超音波振動子アレイ室４２内で超音波振動子アレイ４０を保持した状態でありかつ超音波振動子アレイ４０に接続された信号ケーブル４１ａ及び４１ｂを伴い回転可能である（信号ケーブル・・・）。」（同頁左下欄１０行〜右下欄１０行）
「上記駆動軸４４は、駆動室４５内に貫通しプーリー４６が固設されているものであり、上記プーリー４６は、一端がプーリー４６自体に係止され他端が上記底壁４２ａに係止されたコイルスプリング４７によって一方向に回動付勢されている。・・・操作プーリー２１は、操作軸２３を介し操作ツマミ２４によって一体的に回転するものであり、・・・クリック溝２６との係合により任意位置に回動係止できるものである。」（同頁右下欄１８行〜３頁左上欄末行）
　
刊行物２；特開平４−９１４９号公報
「本発明に係る三次元データ取込み用超音波探触子は、体腔内に挿入され生体内部から超音波送波及び反射エコー受波を行い被検部位の超音波断層画像情報を得る超音波探触子において、回転軸を有しこの回転軸を任意の角度回転させるアクチュエータと、該アクチュエータの回転軸に取付け固定されその回転軸に直交する方向に複数の振動素子が配列されたアレイ振動子と、・・・前記回転軸に伴って回転する回転するアレイ振動子の回転位置を検出する回転位置検出器と、を含み、・・・前記複数の断層画像情報に対応する回転位置情報に基づき三次元超音波画像データを得ることを特徴とする」（２頁右下欄２行〜末行）
「第１図は本発明に係る三次元データの取込み用超音波探触子の構成の一例を示す説明図であり、・・・球形状に形成されている。
　そして、本体ケーシング１０内には、アクチュエータである駆動モータ２２が固設されており、この駆動モータ２２の回転軸２４にはアレイ振動子２６が取付け固定されている。
　このアレイ振動子２６の各振動素子は、回転軸２４の軸方向と直交する面上に配列され、回転軸２４の回転に伴って回転軸２４を軸として回転する。
　この駆動モータ２２とアレイ振動子２６との間には回転位置検出器２８が固設されており、アレイ振動子２６の回転位置を検出している。・・・回転位置検出器はポテンショメータやエンコーダ等が用いられる。」（３頁右上欄７行〜左下欄８行）
　
３．対比・判断
（１）本件明細書の【従来の技術】でマルチプレーンＴＥＥの従来例として取り上げられた特開昭５９−２２５３４号公報（上記刊行物１）に記載されたものは上部消化管に挿入して心臓の超音波像を得るためのマルチプレーンＴＥＥ超音波プローブを使用する超音波診断装置であって、上記刊行物１の記載と図示によれば、そのマルチプレーンＴＥＥプローブは体腔内に挿入され、先端部の向きを変えるために湾曲可能に構成されたアングル部を有する導中部と、複数の圧電素子をアレイ状に配列し前記導中部の先端部に内蔵され走査方向を変えるために回転可能に設けられたトランスジューサを有しており、操作ワイヤーやプーリーを介してトランスジューサの回転を行う操作ツマミの示標２４ｄによってトランスジューサの回転角度が表示されることが認められる。
　
　したがって、本願発明と刊行物１に記載された発明とは、
「上部消化管に挿入して心臓の超音波像を得るためのマルチプレーンＴＥＥプローブと、装置本体からなる超音波診断装置において、
　前記マルチプレーンＴＥＥプローブは体腔内に挿入され、先端部の向きを変えるために湾曲可能に構成されたアングル部を有する導中部と、
　複数の圧電素子をアレイ状に配列したものであり、前記導中部の先端部に内蔵され、且つ、走査方向を変えるために回転可能に設けられたトランスジューサと、
　前記トランスジューサを回転する機構と、
　トランスジューサの回転角度を表示する手段を備えることを特徴とする超音波診断装置。」
である点で一致し、次の点で相違する。
　
相違点；本願発明では、「導中部の先端に内蔵され、前記トランスジューサを回転するモータと、前記導中部の先端に内蔵され、前記トランスジューサの回転角度を検出する検出手段」であり、「前記検出手段の出力に基づいて回転角度を画面に表示する手段を備える」のに対し、
　刊行物１に記載された発明では、操作ツマミの回転により操作ワイヤーを介してコイルスプリング４７によって一方向に付勢されたプーリ４６を回転し、そのプーリと同軸のトランスジューサを回転させ、トランスジューサの回転角度の表示は操作ツマミに設けた指標によるものである点。
　
（２）相違点について検討するに、
　刊行物２には、体腔内に挿入され生体内部から超音波送波及び反射エコー受波を行い被検部位の超音波断層像を得る超音波探触子において、体腔内に挿入される先端部に設けられる複数の振動素子が配列されたアレイ振動子の回転軸と一致させたモータにより超音波アレイ振動子を回転させること、及び、超音波アレイ振動子の回転位置を検出する回転位置検出器を設けることが記載されており、たとえ刊行物２の第１図で駆動モータとアレイ振動子の間に回転位置検出器が設置されるとともに超音波アレイ振動子の設置面が体腔内に挿入される保護管の軸と直交する方向に図示されているとしても、これらのアレイ振動子回動機構は刊行物１に記載されたトランスジューサや超音波診断装置と同様に超音波送波面を任意の回転角度に変更し、その角度を知るためのものとして共通しているのであって、駆動モータをアレイ振動子の直後に配置し回転位置検出器を別の位置に置くことは設計上適宜変更できることであるし、また、駆動モータとして薄型モータは本件出願前周知のものであるから、刊行物１に記載された超音波アレイ振動子の設置面や回転軸方向を変更することなくコイルスプリングやプーリ４６や操作ワイヤというトランスジューサ回動機構を駆動モータや回転位置検出器という機構で置き換えること、及び、回転位置検出器を設ければ回転角度が電気信号として得られることは自明である（拒絶査定の備考で示された特開平５−４２１４９号公報参照）から、この信号を利用して装置本体にトランスジューサの回転角度を画面に表示する手段を設けること、はいずれも当業者が容易になしうることである。
　そして、本件明細書に記載された本願発明の効果は、上記当業者が容易になしえた結果としての構成から得られるものであって格別のものとは認められない。
　
４．むすび
　以上の検討によれば、本願発明は、刊行物１、２に記載された発明及び周知技術に基いて当業者が容易に発明をすることができたものと認められるので、特許法第２９条第２項の規定により特許を受けることができず、したがって、本願の他の請求項に係る発明についての検討・判断を示すまでもなくこの出願は拒絶されるべきものである。
　よって、結論のとおり審決する。